(57)【要約】【課題】  ボリュームスイッチのメンテナンス作業が容易に行える遊技機を提供する。【解決手段】  遊技機１は、遊技機の本体を構成するベースドア７０と、遊技者の操作によりベースドア７０に対して回転するハンドル回転部４１が設けられ、ベースドア７０の前面側に取り付けられる発射ハンドル４０と、ハンドル回転部４１の回転量に基づいた回転を行う回転軸部４５ａを備え、発射装置に回転軸部４５ａの回転量に対応する発射力を示す信号を出力するボリュームスイッチ４５と、を有する。ハンドル回転部４１には、発射ハンドル４０の外部から、回転軸部４５ａが着脱可能に嵌合されるための嵌合部４１ｂが設けられている。嵌合部４１ｂは、回転軸部４５ａが嵌合された状態で、ハンドル回転部４１の回転量を回転軸部４５ａに伝達可能に構成されている。【選択図】       図４
2005131326.tif 000002
【特許請求の範囲】
【請求項１】
遊技機の本体を構成する本体部と、
遊技者の操作により前記本体部に対して正逆方向に回転する回転部を有し、前記本体部の前面側に取り付けられる発射ハンドルと、
回転軸部を備え、遊技球の発射力を調整する発射装置に前記回転軸部の回転量に対応する前記発射力を示す信号を出力するボリュームスイッチと、
を有する遊技機であって、
前記回転部には、前記発射ハンドルの外部から、前記回転軸部が着脱自在に嵌合されるための嵌合部が設けられていることを特徴とする遊技機。
【請求項２】
前記本体部には、貫通穴が設けられており、
前記発射ハンドルの前記嵌合部側が、前記本体部の前面に対して、遊技機の正面側から見て前記貫通穴と重なる位置に、取り付けられた状態で、前記回転軸部は、前記本体部の裏面側から、着脱可能に前記嵌合部に嵌合されていることを特徴とする請求項１に記載の遊技機。
【請求項３】
前記本体部の前面側に、着脱可能に形成されているベース部を有し、
前記ベース部には、貫通孔が設けられており、
前記発射ハンドルの前記嵌合部側が、前記ベース部の前面に対して、遊技機の正面側から見て前記貫通孔と重なる位置に、取り付けられた状態で、前記回転軸部は、前記ベース部の裏面側から、着脱可能に前記嵌合部に嵌合されていることを特徴とする請求項１又は２に記載の遊技機。
【発明の詳細な説明】
【技術分野】
【０００１】
本発明は、パチンコ遊技機等の遊技機に関する。
【背景技術】
【０００２】
従来より、パチンコ遊技機などの遊技機には、遊技者が遊技球を発射する操作を行うための装置として、発射ハンドルが設けられている。この発射ハンドルにおいては、遊技者が回転操作を行うための回転操作部と、回転操作部が回転可能になるように支持し、遊技機本体に取り付けるための支持取り付け部と、回転操作部に嵌め込まれ、回転操作部の回転量に応じた電気信号を発射装置に出力するボリュームスイッチ、各種の接触センサーなどが設けられている。上記発射装置は、ボリュームスイッチからの電気信号に基づいて、遊技球の発射力を調整する（例えば、特許文献１参照）。
【特許文献１】特開２０００−２１７９７３号公報
【発明の開示】
【発明が解決しようとする課題】
【０００３】
しかしながら、上述した従来技術では、以下のような問題があった。従来の発射ハンドルは、上述したボリュームスイッチが上記発射ハンドルの内部に組み込まれるように構成されていた。このため、ボリュームスイッチだけの故障などに対するメンテナンスの際、作業者等は、発射ハンドルを分解して、ボリュームスイッチを取り出す必要があったので、ボリュームスイッチのメンテナンス作業が面倒となってしまう問題があった。
【０００４】
本発明は、以上のような問題点に鑑みてなされたものであり、ボリュームスイッチのメンテナンス作業が容易に行える遊技機を提供することにある。
【課題を解決するための手段】
【０００５】
以上の問題点を解決するために、本発明は、遊技機の本体を構成する本体部（例えば、ベースドア７０）と、遊技者の操作により前記本体部に対して正逆方向に回転する回転部（例えば、ハンドル回転部４１）を有し、前記本体部の前面側に取り付けられる発射ハンドル（例えば、発射ハンドル４０）と、回転軸部（例えば、回転軸部４５ａ）備え、遊技球の発射力を調整する発射装置に前記回転軸部の回転量に対応する前記発射力を示す信号を出力するボリュームスイッチ（例えば、ボリュームスイッチ４５）と、を有する遊技機であって、前記回転部には、前記発射ハンドルの外部から、前記回転軸部が着脱自在に嵌合されるための嵌合部（例えば、嵌合部４１ｂ）が設けられていることを特徴とするものである。
【０００６】
本発明によれば、発射ハンドルに設けられた回転部には、前記発射ハンドルの外部から、前記回転軸部が着脱可能に嵌合されるための嵌合部が設けられているので、ボリュームスイッチだけの故障などに対するメンテナンスの際、発射ハンドルを分解することなく、ボリュームスイッチだけを取り出すことができる。このため、従来に比べて、ボリュームスイッチのメンテナンス作業が容易に行え、ボリュームスイッチのメンテナンスに費やされる時間、コストの低減化が可能である。
【０００７】
また、上記発明において、前記本体部には、貫通穴（例えば、貫通孔７０ａ）が設けられており、前記発射ハンドルの前記嵌合部側が、前記本体部の前面に対して、遊技機の正面側から見て前記貫通穴と重なる位置に、取り付けられた状態で、前記回転軸部は、前記本体部の裏面側から、着脱可能に前記嵌合部に嵌合されていることを特徴とするものである。
【０００８】
この場合には、発射ハンドルを上記本体部に取り付けたままの状態で、ボリュームスイッチを、上記本体部の裏面側から、上記発射ハンドルに取り付けたり、取り外したりすることができるので、遊技機の作業者等は、ボリュームスイッチが故障した場合などにおけるメンテナンス作業を容易に行える。
【０００９】
また、上記発明において、前記本体部の前面側に、着脱可能に形成されているベース部（例えば、ベース部６０）を有し、前記ベース部には、貫通孔（例えば、貫通孔６２）が設けられており、前記発射ハンドルの前記嵌合部側が、前記ベース部の前面に対して、遊技機の正面側から見て前記貫通孔と重なる位置に、取り付けられた状態で、前記回転軸部は、前記ベース部の裏面側から、着脱可能に前記嵌合部に嵌合されていることを特徴とするものである。
【００１０】
この場合においても、上記嵌合部が設けられているので、ボリュームスイッチのメンテナンスの際、発射ハンドルを分解することなく、ボリュームスイッチだけを取り出すことができ、ボリュームスイッチのメンテナンス作業が容易に行える。また、発射ハンドルの形が複雑な形状の場合には、発射ハンドルを本体部に取り付ける作業が面倒となってしまったが、本発明では、発射ハンドルに取り付けられた前記ベース部を本体部に取り付けるだけでよい。この結果、本発明の遊技機によれば、発射ハンドルの形によらず、発射ハンドルを本体部に取り付ける作業が容易となる。
【発明の効果】
【００１１】
以上説明したように、本発明によれば、ボリュームスイッチだけの故障などに対するメンテナンスの際、発射ハンドルを分解することなく、ボリュームスイッチだけを取り出すことができるので、ボリュームスイッチのメンテナンス作業が容易に行える。
【発明を実施するための最良の形態】
【００１２】
本実施形態における弾球遊技機１の構成について、図面を参照しながら説明する。図１は、本実施形態における弾球遊技機１の全体を示す斜視図であり、図２は、上記弾球遊技機１を構成する各部を分解した様子を示す分解説明図である。
【００１３】
図１に示すように、弾球遊技機１は、遊技場に設けられる遊技島に固定するための外枠８０と、外枠８０に取り付けられたベースドア７０とを有する。外枠８０の前面の左上部及び左下部には、ヒンジ凸部８０ａが設けられている。また、ベースドア７０の前面の左上部及び左下部には、ヒンジ凹部７０ｃが設けられている。そして、ヒンジ凹部７０ｃに、ヒンジ凸部８０ａが嵌め込まれることにより、外枠８０に対して、ベースドア７０が開閉可能に取り付けられる。このベースドア７０は、弾球遊技機の本体を構成する本体部でもある。
【００１４】
ベースドア７０の裏面には、液晶ディスプレイ部７８をベースドア７０の頭上側から、差し入れることが可能なレール部（図示せず）が設けられている。このレール部に液晶ディスプレイ部７８が差し入れられた状態で、液晶ディスプレイ部７８は、ベースドア７０に取り付けられる。このレール部に液晶ディスプレイ部７８が差し入れられた状態においては、液晶ディスプレイ部７８の表示領域は、ベースドア７０の開口部７０ｅと対向する位置に配置される。
【００１５】
ベースドア７０の前面の上方には、スピーカ７５を嵌め込むことが可能な開口部７０ｄが設けられており、この開口部７０ｄに、スピーカ７５が嵌め込まれる。
【００１６】
また、ベースドア７０の前面の中央には、遊技盤３０が着脱可能に取り付けられる。遊技盤３０がベースドア７０の前面に取り付けられた状態では、遊技盤３０の遊技領域は、ベースドア７０の開口部７０ｅと対向する位置に配置される。
【００１７】
遊技盤３０の少なくとも一部は、液晶ディスプレイ部７８の表示領域を正面側から見て視認可能な透明部材で形成されている。この透明部材は、無色透明のアクリル樹脂材、ボリカーボネート樹脂又はポリアリレート樹脂等の合成樹脂で形成することができる。
【００１８】
遊技盤３０には、第１遊技球誘導部材３、第２遊技球誘導部材４、一般入賞口５，始動口６と、アウト口７、大入賞口８が設けられている。
【００１９】
第１遊技球誘導部材３及び第２遊技球誘導部材４は、遊技球の流下方向を大きく変化させるものである。第１遊技球誘導部材３は、遊技球が流下可能な遊技領域の上方に位置するように配設され、遊技盤３０の面に対して直角に立設された壁体から構成される。第２遊技球誘導部材４は、当該遊技領域の下方に位置するように配設され、遊技盤３０の面に対して直角に立設された壁体から構成される。
【００２０】
一般入賞口５は、当該一般入賞口５に遊技球が入球すると所定数（例えば、１５個）の遊技球（賞球）が払い出されるように構成されている。始動口６は、当該始動口６に遊技球が入球すると大当り判定用の乱数値及び大当り図柄決定用の乱数値などが抽出されるように構成されている。アウト口７は、始動口６や大入賞口８や一般入賞口５などのいずれにも入球しなかった遊技球を受け入れる。大入賞口８は、特定領域（いわゆるＶゾーン）と一般領域とを具備し、大当り判定用の乱数値に基づく大当り判定の結果に応じ、所定の設定に従って開閉するように制御される。
【００２１】
ベースドア７０の前面の左上部及び左下部には、ヒンジ凹部７０ｆ（凹みの様子は図示せず）が設けられており、前面の左中部には、ヒンジ凸部７０ｇ（凸の様子は図示せず）が設けられている。また、ガラス枠１０の裏面の左上部には、ヒンジ凸部（図示せず）が設けられており、裏面の左中部には、ヒンジ凹部（図示せず）が設けられている。そして、ベースドア７０の前面の左上部に設けられたヒンジ凹部７０ｆに、ガラス枠１０に設けられたヒンジ凸部が嵌め込まれるとともに、ヒンジ凸部７０ｇに、ガラス枠１０に設けられたヒンジ凹部が嵌め込まれることにより、ベースドア７０に対して、ガラス枠１０が開閉可能に取り付けられる。なお、ベースドア７０の前面の左下部に設けられたヒンジ凹部７０ｆに、皿部２０の裏面に設けられたヒンジ凸部（図示せず）が嵌め込まれることにより、ベースドア７０に対して、皿部２０が開閉可能に取り付けられる。このガラス枠１０には、遊技盤３０の前面を覆う前面ガラス１１がはめ込まれている。  
ベースドア７０の前面の下方には、皿部２０が取り付けられている。この皿部２０は、賞球などにより払い出された遊技球などを貯留するための上皿と、アウト口７に受け入れられた遊技球などを貯留するための下皿などで構成される。
【００２２】
ベースドア７０の前面に取り付けられた皿部２０の右側には、発射ハンドルユニット３５が取り付けられている。具体的には、この発射ハンドルユニット３５に設けられた係止片６１が、ベースドア７０の右下方に設けられた係止穴７０ｂに、係止されることにより、発射ハンドルユニット３５がベースドア７０に取り付けられる。なお、ベースドア７０の下方の右側には、発射ハンドルユニット３５に設けられたハーネス（ボリュームスイッチと発射装置とを接続するためのハーネス）を差し通すための貫通孔７０ａが設けられている。
【００２３】
発射ハンドルユニット３５の構成、発射ハンドルユニット３５をベースドア７０に取り付ける方法の詳細な説明は後述する。
【００２４】
ベースドア７０の裏面の左側（正面側から見て左側）には、図示しないヒンジ機構を介して、第１ユニット部９０が開閉可能に取り付けられている。この第１ユニット部９０には、遊技球を貯留するための球タンク、貸球又は賞球用の遊技球の払い出しを行う払出装置、貸球や賞球などの遊技球の通路である遊技球通路などが設けられている。
【００２５】
また、ベースドア７０の裏面の右側（正面側から見て右側）には、第２ユニット部１００が取り付けられている。この第２ユニット部１００には、液晶ディスプレイ部７８に表示する図柄の表示制御を行う表示制御基板、遊技盤３０の前面などに配設された各種ランプの点灯、点滅制御などを行うランプ制御基板、大当たり判定といった遊技処理全般を制御する主制御基板、貸球、賞球の払い出しに関する制御を行う払出制御基板、遊技球の発射に関する制御を行う発射制御基板、各基板の動作に必要な電源を供給する電源基板などが設けられている。
【００２６】
図３は、発射ハンドルユニット３５の外観構成を示す斜視図であり、図４は、発射ハンドルユニット３５の断面の構成を簡略化した様子を示す断面図であり、図５は、発射ハンドルユニット３５を構成する各部を分解した様子を示す分解図である。なお、図５では、後述のベース部６０を省略している。
【００２７】
発射ハンドルユニット３５は、ベース部６０と、発射ハンドル４０と、ボリュームスイッチ４５とを有する。ベース部６０は、ベースドア７０の前面側に、着脱可能に形成されている。具体的には、ベース部６０には、ベースドア７０の右下方に設けられた係止穴７０ｂに、係止されるための係止片６１が設けられている。そして、この係止片６１は、ベースドア７０の右下方に設けられた係止穴７０ｂに、着脱可能に係止される。また、ベース部６０の中央には、貫通孔（後述の図７，８に示す貫通孔６２）が設けられている。
【００２８】
発射ハンドル４０には、遊技者の操作によりベース部６０（ベースドア７０）に対して、正逆方向に回転するハンドル回転部４１が設けられている。また、発射ハンドル４０は、ベース部６０を介して、ベースドア７０の前面側に取り付けられる。発射ハンドル４０は、ハウジング部４３と、ハンドル回転部４１と、ハンドルカバー４２と、スプリング４８とを有する。
【００２９】
ハウジング部４３には、貫通孔４３ａが設けられている。また、ハウジング部４３は、当該ハウジング部４３の貫通孔４３ａと、ベース部６０の貫通孔６２とが向き合うようにして、ベース部６０の前面に固定して取り付けられている。また、ハウジング部４３には、遊嵌部４３ｂが設けられている。ハンドル回転部４１は、ハウジング部４３に形成された遊嵌部４３ｂに対して遊嵌される。ハンドル回転部４１が上記遊嵌部４３ｂに遊嵌された状態において、ハンドル回転部４１がハウジング部４３（及びベース部６０）に対して、回転可能となるように、ハウジング部４３は、ハンドル回転部４１をハンドルカバー４２との間で挟持する。
【００３０】
ここで、ハンドル回転部４１が遊嵌部４３ｂに対して、遊嵌されるとは、ハンドル回転部４１が遊嵌部４３ｂに対して遊びを持った状態で嵌め込まれることを意味する。これにより、ハンドル回転部４１による回転が可能となる。なお、後述するハンドル回転部４１がハンドルカバー４２の遊嵌部４２ａに対して遊嵌される場合も同じ意味である。
【００３１】
ハンドル回転部４１には、遊技者が指をかけて操作するための指かけ部４１ａと、ハンドル回転部４１の中心軸に沿って突出した突出棒４１ｃが設けられている。この突出棒４１ｃの先端には、後述するボリュームスイッチ４５の回転軸部４５ａを着脱可能（着脱自在）に嵌めこむための嵌合部４１ｂが設けられている。そして、ハンドル回転部４１がハウジング部４３の遊嵌部４３ｂに遊嵌されている状態では、嵌合部４１ｂは、ハウジング部４３の貫通孔４３ａに挿入されている。この嵌合部４１ｂは、発射ハンドル４０の外部から、回転軸部４５ａが着脱可能に嵌合されるためのものである。具体的には、ハンドルカバー４２とハンドル回転部４１とハウジング部４３とが組み合わされることにより構成される発射ハンドル４０において、ハウジング部４３には、貫通孔４３ａが設けられており、この貫通孔４３ａを介して、発射ハンドル４０の外部から、アダプタ４６が取り付けられた回転軸部４５ａが嵌合部４１ｂに着脱可能に嵌合されることができる。
【００３２】
また、嵌合部４１ｂは、後述するアダプタ４６を介して回転軸部４５ａが嵌合された状態で、ハンドル回転部４１の回転量を回転軸部４５ａに伝達可能に構成されている。ここでいう回転量とは、回転角度のことであり、例えば、以下のようにして定義される。回転角度は、遊技者による回転操作が行われていない場合にハンドル回転部４１の中心点と所定の指かけ部４１ａとを結ぶ線と、遊技者による回転操作が行われた場合にハンドル回転部４１の中心点と所定の指かけ部４１ａとを結ぶ線と、が挟む角度である。
【００３３】
具体的な一例は以下の通りである。嵌合部４１ｂは、突出棒４１ｃを介して、ハンドル回転部４１に固定して設けられている。このため、ハンドル回転部４１の回転角度と同じ回転角度の回転を嵌合部４１ｂは行うことになる。そして、後述する回転軸部４５ａは、ボリュームスイッチ４５の回転軸部４５ａ以外の部分に対して、回転するように設けられている。そして、回転軸部４５ａが、アダプタ４６を介して、嵌合部４１ｂに対して回転規制された状態で嵌め込まれ、ハンドル回転部４１の回転量（回転角度）がそのまま嵌合部４１ｂの回転量（回転角度）となり、嵌合部４１ｂの回転量（回転角度）がそのまま回転軸部４５ａの回転量（回転角度）となる。以下の説明において、「回転量」という記載は、「回転角度」と同じ意味である。
【００３４】
突出棒４１ｃの周囲には、スプリング４８が環装されているとともに、スプリング４８の一端は、ハウジング部４３に固定され、他端は、ハンドル回転部４１に固定されている。これにより、ハンドル回転部４１は、所定の回転方向に付勢されている。また、スプリング４８は、遊技者が発射ハンドル４０を操作しないときには、ハンドル回転部４１の回転量が０になるための付勢力を発生する。
【００３５】
ハンドルカバー４２には、ハンドル回転部４１が遊嵌されるための遊嵌部４２ａが形成されている。ハンドル回転部４１が上記遊嵌部４２ａに遊嵌された状態において、ハンドル回転部４１が回転可能となるように、ハンドルカバー４２は、ハンドル回転部４１をハウジング部４３との間で挟持する。
【００３６】
このような構成のハンドルカバー４２と、ハンドル回転部４１と、ハウジング部４３とが組み合わせられることにより、発射ハンドル４０が形成される。そして、発射ハンドル４０がベース部６０を介して、ベースドア７０に取り付けられた状態において、ハンドル回転部４１は、ベースドア７０及びベース部６０に対して、回転することができる。これにより、遊技者は、指かけ部の間を指で押さえながら、ベースドア７０に対して、ハンドル回転部４１を回転させることができる。
【００３７】
このようなハンドルカバー４２と、ハンドル回転部４１と、ハウジング部４３とを組み合わせることにより、形成された発射ハンドル４０の外観図を図６に示す。
【００３８】
ボリュームスイッチ４５は、ハンドル回転部４１の回転量に基づいた回転を行う回転軸部４５ａを備え、遊技球の発射力を調整する発射装置（図示せず）に回転軸部４５ａの回転量に対応する発射力を示す信号を、発射制御基板に出力する。
【００３９】
ボリュームスイッチ４５には、回転軸部４５ａが設けられている。ここで、回転軸部４５ａは、ボリュームスイッチ４５を構成する部材のうち、回転軸部４５ａ以外の部材に対して、回転可能に設けられている。この回転軸部４５ａは、アダプタ４６を介して、ハンドル回転部４１に設けられた嵌合部４１ｂに着脱可能に嵌合される。また、ボリュームスイッチ４５には、回転軸部４５ａの回転量に対応する発射力を示す信号を発射制御基板を介して発射装置に出力するためのハーネス４５ｂがハーネス取り付け部４５ｃを介して取り付けられている。
【００４０】
発射ハンドルユニット３５は、以下のようにしてベースドア７０に取り付けられている。図７，８は、発射ハンドルユニット３５の構成の説明を補足するための図である。
【００４１】
ベース部６０の前面には、発射ハンドル４０のハウジング部４３側が取り付けられている。この取り付け状態において、回転軸部４５ａが嵌合部４１ｂに嵌合されていない場合には、ベース部６０に設けられた貫通孔６２、ハウジング部４３に設けられた貫通孔４３ａを通して、嵌合部４１ｂを発射ハンドル４０の外側から視認できるようになっている。
【００４２】
そして、発射ハンドル４０の嵌合部４１ｂ側が、ベース部６０の前面に対して、遊技機の正面側から見て、貫通孔６２と重なる位置に、取り付けられた状態で、回転軸部４５ａは、ベース部６０の裏面側から、着脱可能に嵌合部４１ｂに嵌合されている。即ち、ベース部６０の貫通孔６２に、嵌合部４１ｂがベース部６０の前面側から挿入された状態又はボリュームスイッチ４５がベース部６０の裏面側から挿入された状態で、回転軸部４５ａは、ベース部６０の裏面側から、着脱可能に嵌合部４１ｂに嵌合されている。
【００４３】
具体的には、図４に示すように、発射ハンドル４０がベース部６０の前面に取り付けられた状態で、回転軸部４５ａの先端がアダプタ４６の一方の端部に設けられた穴に嵌合され、アダプタ４６の他方の端部は、ベース部６０に設けられた貫通孔６２及びハウジング部４３に設けられた貫通孔４３ａを介して、ハンドル回転部４１に設けられた嵌合部４１ｂに着脱可能に嵌合されている。この場合、ボリュームスイッチ４５がベース部６０の裏面側から貫通孔６２に挿入された状態で、回転軸部４５ａは、ベース部６０の裏面側から、着脱可能に嵌合部４１ｂに嵌合されている。この際、ボリュームスイッチ４５の回転軸部４５ａ以外の所定の場所には、開口部５１が設けられた金属板５０が、ボリュームスイッチ４５に対して動かないように取り付けられる。
【００４４】
なお、発射ハンドル４０がベース部６０の前面に取り付けられた状態で、嵌合部４１ｂがベース部６０の前面側から貫通孔６２に挿入されており、回転軸部４５ａの先端がアダプタ４６の一方の端部に設けられた穴に嵌合され、アダプタ４６の他方の端部は、ベース部６０の裏面側から、ハンドル回転部４１に設けられた嵌合部４１ｂに着脱可能に嵌合されているようにしてもよい。
【００４５】
図７は、発射ハンドルユニット３５が形成された状態で、発射ハンドル４０を省略した場合において、ベース部６０の貫通孔６２に回転軸部４５ａが挿入された状態を示す図であり、図８は、発射ハンドルユニット３５をベース部６０の裏面側から見た外観図である。図７、８に示すように、回転軸部４５ａがベース部６０の貫通孔６２を介して、嵌合部４１ｂに嵌合された状態において、ボリュームスイッチ４５には、開口部５１が設けられた金属板５０が取り付けられる。そして、金属板５０に設けられた開口部５１は、ベース部６０に設けられた開口部（図示せず）に合わせられた後、これらの開口部にネジが挿入され、このネジにより、ベース部６０に対して金属板５０が固定される。これにより、ボリュームスイッチ４５の回転軸部４５ａ以外の部分は、ベース部６０に固定され、回転軸部４５ａは、ハウジング部４３（ベース部６０、ベースドア７０）に対して、回転することが可能となる。
【００４６】
このようにして構成された発射ハンドルユニット３５は、以下のようにベースドア７０に取り付けられる。図９は、発射ハンドルユニット３５がベースドア７０に取り付けられる様子を簡略化して示す断面図である。
【００４７】
発射ハンドルユニット３５が、ベースドア７０に取り付けられている状態では、発射ハンドルユニット３５のベース部６０に設けられている係止片６１が、ベースドア７０に設けられた係止穴７０ｂに、係止される。この際、ボリュームスイッチ４５の回転軸部４５ａ側でない部分と、ハーネス４５ｂとが貫通孔７０ａに挿入される。
【００４８】
このため、本実施形態においては、発射ハンドル４０の嵌合部４１ｂ側が、ベースドア７０の前面に対して、弾球遊技機１の正面側から見て貫通孔７０ａと重なる位置に、取り付けられた状態で、回転軸部４５ａは、ベースドア７０の裏面側から、着脱可能に嵌合部４１ｂに嵌合されているといえる。具体的には、発射ハンドル４０がベースドア７０の前面に取り付けられるとともに、ベースドア７０の貫通孔７０ａに、ボリュームスイッチ４５がベースドア７０の裏面側から挿入された状態で、回転軸部４５ａは、ベースドア７０の裏面側から、着脱可能に嵌合部４１ｂに嵌合されているといえる。
【００４９】
なお、発射ハンドル４０がベースドア７０の前面に取り付けられるとともに、ベースドア７０の貫通孔７０ａに、嵌合部４１ｂがベースドア７０の前面側から挿入された状態で、回転軸部４５ａは、ベースドア７０の裏面側から、着脱可能に嵌合部４１ｂに嵌合されていてもよい。
【００５０】
また、発射ハンドル４０が取り付けられたベース部６０がベースドア７０に取り付けられるようにし、嵌合部４１ｂに、ベースドア７０の貫通孔７０ａ及びベース部６０の貫通孔６２を介して、ベース部６０の裏面側から回転軸部４５ａが着脱可能に嵌合されているともいえる。
【００５１】
このようにして発射ハンドルユニット３５がベースドア７０に取り付けられた弾球遊技機１において、遊技者が指かけ部４１ａを用いて、ハンドル回転部４１をベースドア７０に対して回転させると、ハンドル回転部４１の回転量が嵌合部４１ｂを介して、回転軸部４５ａに伝達され、回転軸部４５ａは、回転動作を行う。ボリュームスイッチ４５は、回転軸部４５ａの回転量に対応する遊技球の発射力を示す信号を、上記ハーネス４５ｂ、発射制御基板を介して、発射装置に出力する。発射装置は、上記信号に基づいた発射力で、遊技領域に遊技球を発射する。
【００５２】
（作用効果）
本発明によれば、発射ハンドル４０に設けられたハンドル回転部４１には、発射ハンドル４０の外部から、回転軸部４５ａが着脱可能に嵌合されるための嵌合部４１ｂが設けられているので、ボリュームスイッチ４５だけの故障などに対するメンテナンスの際、発射ハンドル４０を分解することなく、ボリュームスイッチ４５だけを取り出すことができる。このため、従来に比べて、ボリュームスイッチ４５のメンテナンス作業が容易に行え、ボリュームスイッチ４５のメンテナンスに費やされる時間、コストの低減化が可能である。
【００５３】
また、本実施形態の弾球遊技機１によれば、発射ハンドル４０をベースドア７０に取り付けたままの状態で、ボリュームスイッチ４５を、ベースドア７０の裏面側から、発射ハンドル４０に取り付けたり、取り外したりすることができるので、弾球遊技機１の作業者等は、ボリュームスイッチ４５が故障した場合などにおけるメンテナンス作業を容易に行える。
【００５４】
また、発射ハンドル４０の形が複雑な形状の場合には、発射ハンドル４０をベースドア７０に取り付ける作業が面倒となってしまうが、本実施形態では、発射ハンドル４０に取り付けられたベース部６０をベースドア７０に取り付けるだけでよい。この結果、本実施形の弾球遊技機によれば、発射ハンドル４０の形によらず、発射ハンドル４０をベースドア７０に取り付ける作業が容易となる。
【００５５】
（変更例１）
上述した実施形態は、以下のように変更されてもよい。図１０に示すように、ベースドア７０の前面には、発射ハンドル４０のハウジング部４３側の部分が取り付けるための取り付け部７０ｃが設けられている。発射ハンドル４０が取り付け部７０ｃに取り付けられた状態では、嵌合部４１ｂは、貫通孔７０ａに挿入されていない。そして、回転軸部４５ａの先端がアダプタ４６の一方の端部に設けられた穴に嵌合され、アダプタ４６の他方の端部は、ベースドア７０に設けられた貫通孔７０ａを介して、ベースドア７０の裏面側から嵌合部４１ｂに着脱可能に嵌合される。
【００５６】
また、取り付け部７０ｃには、上述したハウジング部４３とボリュームスイッチ４５とを固定するための金属板５０が、配設されている。取り付け部７０ｃに金属板５０が、配設されている状態では、少なくとも回転軸部４５ａが挿入できる広さの開口が形成される。そして、発射ハンドル４０のハウジング部４３が、取り付け部７０ｃに取り付けられ、回転軸部４５ａが嵌合部４１ｂに嵌合された後、金属板５０に設けられた開口部（図示せず）は、ハウジング部４３に設けられた開口部（図示せず）に合わせられる。そして、これらの開口部にネジが挿入され、このネジにより、ハウジング部４３に対して金属板５０が固定される。
【００５７】
なお、発射ハンドル４０が取り付け部７０ｃに取り付けられた状態で、嵌合部４１ｂが、貫通孔７０ａに挿入されている場合や、貫通孔７０ａから飛び出している場合でも、本変更例は同様に適用される。
【００５８】
従来技術では、ボリュームスイッチ４５を発射ハンドル４０の内部に組みこんで、発射ハンドル４０を形成する場合、発射ハンドル４０の一部を構成する２つのカバーの間に、上記ハーネス４５ｂが挟み込まれてしまう場合があった（例えば、特許文献１、図３参照）。本変更例では、ベースドア７０に発射ハンドル４０が取り付けられ、ベースドア７０の裏面側から、貫通孔７０ａを介して、ボリュームスイッチ４５の回転軸部４５ａを、着脱可能に、発射ハンドル４０の嵌合部４１ｂに嵌合させることができるので、発射ハンドル４０に、ボリュームスイッチ４５を取り付ける際に、上記ハーネス４５ｂの挟み込みのような問題が生じることがない。この結果、ボリュームスイッチ４５のメンテナンスに費やされる時間、コストの一層の低減化が可能である。
【００５９】
（変更例２）
また、上述した実施の形態、変更例１は、以下のように変更されてもよい。回転軸部４５ａは、アダプタ４６を介して、嵌合部４１ｂに対して、嵌合されるようにしていたが、アダプタ４６を介さないで、回転軸部４５ａが嵌合部４１ｂに嵌合されるようにしてもよい。
【００６０】
また、上述の実施の形態などでは、回転軸部４５ａが嵌合部４１ｂに嵌合された状態で、ハンドル回転部４１の回転量が、そのまま回転軸部４５ａに伝達される場合の説明を行ったが、回転軸部４５ａが嵌合部４１ｂに嵌合された状態で、ハンドル回転部４１の回転量が、変更されて、回転軸部４５ａに伝達される場合も本発明は同様に適用できる。 例えば、上述のアダプタ４６は、ハンドル回転部４１の回転量を変換して回転軸部４５ａに伝達できるような構成であってもよい。
【００６１】
また、発射ハンドルユニット３５がベースドア７０に取り付けられた状態や、ボリュームスイッチが取り付けられている発射ハンドル４０がベースドア７０（取り付け部７０ｃ）に取り付けられた状態で、ベースドア７０の裏面側から、ボリュームスイッチ７０だけを取り出せるように、金属板５０、ハウジング部４３が構成されてもよいし、ベースドア７０の裏面側から、金属板５０が取り付けられたボリュームスイッチ７０を取り出せるように金属板５０、ハウジング部４３が構成されてもよい。
【図面の簡単な説明】
【００６２】
【図１】本実施形態における弾球式遊技機の外観を示す図である。
【図２】本実施形態における弾球式遊技機の各部を分解した様子を示す分解図である。
【図３】本実施形態における発射ハンドルユニットの外観構成を示す斜視図である。
【図４】本実施形態における発射ハンドルユニット３５の断面を示す断面図である。
【図５】本実施形態における発射ハンドルユニットを構成する各部を分解した様子を示す分解図である。
【図６】本実施形態における発射ハンドルの外観を示す図である。
【図７】本実施形態における発射ハンドルユニットの構成の説明を補足するための図である。
【図８】本実施形態における発射ハンドルユニットの構成の説明を補足するための図である。
【図９】本実施形態における発射ハンドルユニットがベースドアに取り付けられる様子を示す断面図である。
【図１０】変更例１における発射ハンドルユニットがベースドアに取り付けられる様子を示す断面図である。
【符号の説明】
【００６３】
１…弾球遊技機、３…第１遊技球誘導部材、４…第２遊技球誘導部材、５…一般入賞口、６…始動口、７…アウト口、８…大入賞口、１０…ガラス枠、１１…前面ガラス、２０…皿部、３０…遊技盤、３５…発射ハンドルユニット、４０…発射ハンドル、４１…ハンドル回転部、４１ａ…指かけ部、４１ｂ…嵌合部、４１ｃ…突出棒、４２…ハンドルカバー、４２ａ、４３ｂ…遊嵌部、４３…ハウジング部、４３ａ…貫通孔、４５…ボリュームスイッチ、４５ａ…回転軸部、４５ｂ…ハーネス、４５ｃ…ハーネス取り付け部、４６…アダプタ、４８…スプリング、５０…金属板、５１…開口部、６０…ベース部、６１…係止片、６２…貫通孔、７０…ベースドア、７０ａ…貫通孔、７０ｂ…係止穴、７０ｃ、７０ｆ…ヒンジ凹部、７０ｇ、８０ａ…ヒンジ凸部、７０ｄ、７０ｅ…開口部，７５…スピーカ，７８…液晶ディスプレイ部，８０…外枠，９０…第１ユニット部，１００…第２ユニット部。
【図１】
2005131326.tif 000003
【図２】
2005131326.tif 000004
【図３】
2005131326.tif 000005
【図４】
2005131326.tif 000006
【図５】
2005131326.tif 000007
【図６】
2005131326.tif 000008
【図７】
2005131326.tif 000009
【図８】
2005131326.tif 000010
【図９】
2005131326.tif 000011
【図１０】
2005131326.tif 000012